(57)【要約】      （修正有）【課題】通気式保護キャップ、又は特にかかる保護キャップのための通気インサートを提供する。【解決手段】本発明は、液体ディスペンサーのための、特に医薬液体を放出するための液体ディスペンサーのための通気式保護キャップ（１０）、及びかかる保護キャップのための通気インサートに関する。保護キャップ（１０）は、キャップ内部を包囲するキャップ壁を有する。キャップ壁は、可撓性シート状構造（１８）によって覆われている通気開口（１６）を有する。シート状構造（１８）の境界領域（１８Ａ）は、通気開口（１６）の境界に取り囲む態様で固定されている。シート状構造（１８）は、少なくとも二つの層（２０，２２）からなり、それらが、互いに直接寄り掛かるがシート状構造（１８）の少なくとも中央領域（１８Ｂ）において互いに固定して接続されていない。【選択図】図３Ａ−３Ｃ
2020183282.tif 000002
【特許請求の範囲】
【請求項１】
液体ディスペンサー（１００）のための、特に医薬液体を放出するための液体ディスペンサー（１００）のための通気式保護キャップ（１０）であって、
（ａ）保護キャップ（１０）が、キャップ内部（１４）を包囲するキャップ壁（１２）を有し、
（ｂ）キャップ壁（１２）が、可撓性シート状構造（１８）によって覆われている通気開口（１６）を有し、
（ｃ）シート状構造（１８）の境界領域（１８Ａ）が、通気開口（１６）の境界に取り囲む態様で固定されている、
ものにおいて、
（ｄ）シート状構造（１８）が、少なくとも二つの層（２０，２２）からなり、それらが、互いに直接寄り掛かるがシート状構造（１８）の少なくとも中央領域（１８Ｂ）において互いに固定して接続されていないことを特徴とする通気式保護キャップ（１０）。
【請求項２】
以下の特徴をさらに有する、請求項１に記載の通気式保護キャップ（１０）：
（ａ）シート状構造（１８）の二つの層（２０，２２）が、共通の射出成形支持構造（２４）によって通気開口（１６）の境界に保持され、射出成形支持構造（２４）が、シート状構造（１８）の片側又は一体的に両側の上に、シート状構造（１８）の境界領域（１８Ａ）の上に突出する。
【請求項３】
以下の特徴をさらに有する、請求項１に記載の通気式保護キャップ（１０）：
（ａ）リング形状の固定表面（２８）を有する支持構造（２６）が、通気開口（１６）の境界に与えられ、
（ｂ）シート状構造（１８）の第一層（２０）が、境界領域（２０Ａ）において、固定表面（２８）に熱的に固定され、
（ｃ）シート状構造（１８）の第二層（２２）が、境界領域（２２Ａ）において、第一層（２０）の境界領域（２０Ａ）に熱的に固定されている。
【請求項４】
以下の特徴をさらに有する、請求項１〜３のいずれかに記載の通気式保護キャップ（１０）：
（ａ）保護キャップ（１０）が、主構成要素（３０）を有し、主構成要素（３０）が、キャップ壁（１２）の側壁を少なくとも優勢に形成し、主構成要素（３０）の上に支持構造（２４；２６）が一体的に与えられている。
【請求項５】
以下の特徴をさらに有する、請求項１〜３のいずれかに記載の通気式保護キャップ（１０）：
（ａ）保護キャップ（１０）が、主構成要素（３０）を有し、主構成要素（３０）が、キャップ壁（１２）の側壁を少なくとも優勢に形成し、かつ通気インサート（３４）を受けるための開口を有し、
（ｂ）保護キャップ（１０）が、通気インサート（３４）を有し、通気インサート（３４）が、開口中に封止して挿入され、かつ包囲する支持構造（２４；２６）及びそれによって保持及び包囲されるシート状構造（１８）を含む。
【請求項６】
以下の特徴の少なくとも一つをさらに有する、請求項１〜５のいずれかに記載の通気式保護キャップ（１０）：
（ａ）シート状構造（１８）の少なくとも一つの層が、滅菌フィルター（２１Ａ，２１Ｂ）によって形成され、滅菌フィルター（２１Ａ，２１Ｂ）が、好ましくは最大１μｍのサイズの分離限界、特に好ましくは最大０．５μｍ又は最大０．２μｍのサイズの分離限界を有し、
（ｂ）シート状構造（１８）の少なくとも一つの層が、吸収層（２１Ｃ）であり、吸収層（２１Ｃ）が、ディスペンサーの放出開口からの残留液滴を吸収するために与えられ、キャップ内部（１４）から見て、前記少なくとも一つの層が、好ましくはシート状構造（１８）の第一層を構成し、
（ｃ）シート状構造（１８）の少なくとも一つの層が、深層フィルター（２１Ｂ）として形成され、
（ｄ）シート状構造（１８）の少なくとも一つの層が、メンブレンフィルター（２１Ａ）として形成され、
（ｅ）シート状構造（１８）の少なくとも一つの層が、親水性表面を有し、
（ｆ）シート状構造（１８）の少なくとも一つの層が、疎水性表面を有し、
（ｇ）シート状構造（１８）の少なくとも一つの層が、抗菌層（２１Ｃ）として形成され、かつ抗菌性成分を含み、
（ｈ）シート状構造（１８）の少なくとも一つの層が、支持層（２１Ｄ）、特に最外層として形成され、
（ｉ）少なくとも一つの最外層が、遮蔽層（２１Ｅ）として形成され、かつ包囲する支持構造に対して均一な色を有し、
（ｊ）保護キャップ（１０）が、シート状構造を保護するための保護構造（２９）を有し、保護構造（２９）が、支持構造（２４）から分離される構成要素として形成され、かつ支持構造（２４）に圧力嵌め態様で又は形態フィット態様で接続されている。
【請求項７】
特に請求項１〜６のいずれかに記載の保護キャップ（１０）に使用するための、通気通路のための通気インサート（３４）であって、
（ａ）通気インサート（３４）が、支持構造（２４；２６）によって包囲される通気開口（１６）を有し、
（ｂ）通気開口（１６）が、可撓性シート状構造（１８）によって覆われ、
（ｃ）シート状構造（１８）の境界領域（１８Ａ）が、支持構造（２４；２６）に取り囲む態様で固定されている、
ものにおいて、
（ｄ）シート状構造（１８）が、少なくとも二つの層（２０，２２）からなり、それらが、互いに直接寄り掛かるがシート状構造（１８）の少なくとも中央領域（１８Ｂ）において互いに固定して接続されていないことを特徴とする通気インサート（３４）。
【請求項８】
以下の特徴をさらに有する、請求項７に記載の通気インサート（３４）：
（ａ）シート状構造（１８）の二つの層（２０，２２）が、共通の射出成形支持構造（２４）によって通気開口（１６）の境界に保持され、射出成形支持構造（２４）が、シート状構造（１８）の片側又は一体的に両側の上に、シート状構造（１８）の境界領域（１８Ａ）の上に突出する。
【請求項９】
以下の特徴をさらに有する、請求項７に記載の通気インサート（３４）：
（ａ）リング形状の固定表面（２８）を有する支持構造（２６）が、通気開口（１６）の境界に与えられ、
（ｂ）シート状構造（１８）の第一層（２０）が、境界領域（２０Ａ）において、固定表面（２８）に熱的に固定され、
（ｃ）シート状構造（１８）の第二層（２２）が、境界領域（２２Ａ）において、第一層（２０）の境界領域（２０Ａ）に熱的に固定されている。
【請求項１０】
以下の特徴の一つを有する、請求項７〜９のいずれかに記載の通気インサート（３４）：
（ａ）通気インサート（３４）が、通気通路に簡単にフィットするための先細側面を有し、
（ｂ）通気インサート（３４）が、スナップ作用接続によって通気通路に固定され、
（ｃ）通気インサート（３４）が、ねじ接続によって通気通路に固定され、
（ｄ）通気インサート（３４）が、接着剤又は溶接接続によって通気通路に固定されている。
【請求項１１】
特に医薬液体のための液体ディスペンサー（１００）であって、
（ａ）液体ディスペンサー（１００）が、主ユニット（１０２）を有し、主ユニット（１０２）が、液体貯蔵部（１０４）及び運搬装置（１０６）及び液体を放出するための放出開口（１０８）を有し、
（ｂ）液体ディスペンサー（１００）が、保護キャップ（１０）を有し、保護キャップ（１０）が、主ユニット（１０２）の上に装着されることができ、かつ装着状態で放出開口（１０８）を保護する、
ものにおいて、以下の特徴の一つを有する、液体ディスペンサー（１００）：
（ｃ）保護キャップ（１０）が、請求項１〜６のいずれかに記載のものであり、
（ｄ）液体ディスペンサー（１００）が、請求項７〜１０に記載の通気インサート（３４）を含む。
【請求項１２】
以下の特徴をさらに有する、請求項１１に記載の液体ディスペンサー（１００）：
（ａ）シート状構造（１８）の少なくとも一つの層（２２）が、吸収層（２２）又は抗菌層（２２）であり、前記層が、装着された保護キャップ（１０）とともに放出開口（１０８）の上に直接配置され、結果として放出開口に残る残留液滴がこれによって吸収及び／又は除染されることができる。
【請求項１３】
以下の特徴の少なくとも一つをさらに有する、請求項１１又は１２に記載の液体ディスペンサー（１００）：
（ａ）液体ディスペンサー（１００）が、液滴ディスペンサーとして設計され、かつ放出開口（１０８）を包囲する態様で液滴形成幾何学形状（１１０）を持ち、
（ｂ）液体ディスペンサー（１００）が、医薬液体で充填され、
（ｃ）液体ディスペンサー（１００）が、液体を液体貯蔵部（１０４）から放出開口（１０８）まで運搬するためのポンプ装置（１０６）を有し、
（ｄ）液体ディスペンサー（１００）が、スクィーズボトル（１１２）を有し、スクィーズボトル（１１２）が、液体を液体貯蔵部（１０４）から放出開口（１０８）まで運搬する目的のために圧縮されることができ、
（ｅ）液体ディスペンサー（１００）が、圧力貯蔵部を有し、
（ｆ）液体ディスペンサー（１００）が、スプレーディスペンサーとして設計され、それによって液体が噴霧形態で放出される。
【請求項１４】
以下の工程を含む、請求項２，４〜７のいずれかに記載の保護キャップ（１０）、又は請求項８〜１０のいずれかに記載の通気インサートの製造方法：
（ａ）第一シート状材料の少なくとも一つの第一層及び第二シート状材料の少なくとも一つの第二層をシート状帯（２２０，２２２）の形態で連続的に供給し、
（ｂ）シート状帯の重なる領域において、上側圧刻部（８０）及び下側圧刻部（８２）によって少なくとも二つの層を一緒に圧縮し、圧刻部（８０，８２）を包囲する態様で切断輪郭部（８４）を使用して切断し、その切断によって保護キャップ（１０）のため又は通気インサート（３４）のために与えられたシート状構造（１８）の二つの層（２０，２２）がシート状帯（２２０，２２２）から分離され、
（ｃ）圧刻部（８０，８２）によって固定された状態で多層シート状構造（１８）を射出成形キャビティ（９０）中に挿入し、
（ｄ）プラスチック材料（９２）を射出成形キャビティ（９０）中に射出し、但しプラスチック材料（９２）は、共通の支持構造（２４）を形成し、支持構造（２４）は、シート状構造（１８）の片側又は一体的に両側の上に、シート状構造（１８）の境界領域（１８Ａ）の上に突出し、シート状構造（１８）の層（２０，２２）を固定し、
（ｅ）支持構造（２４）が硬化した後にシート状構造（１８）から両側の圧刻部（８０，８２）を離す。
【請求項１５】
以下の工程を含む、請求項３〜７のいずれかに記載の保護キャップ（１０）、又は請求項９もしくは１０のいずれかに記載の通気インサートの製造方法：
（ａ）通気式保護キャップ又は通気インサートの主本体（８）を与え、但し主本体（８）は、リング形状固定表面（２８）を有する支持構造（２６）によって包囲される通気開口を有し、
（ｂ）第一層（２０）の境界領域（２０Ａ）がリング形状固定表面（２８）と接触し、第二層（２２）の境界領域（２２Ａ）が第一層（２０）の境界領域（２０Ａ）と接触するようにシート状構造の第一層（２０）及びシート状構造の第二層（２２）を配置し、
（ｃ）第二層（２２）の挿入後に、加熱された圧刻部（８６）によって第一層（２０）及び第二層（２２）の境界領域（２０Ａ，２２Ａ）の熱的接合を実施する。
【請求項１６】
以下の特徴を有する、請求項１５に記載の製造方法：
（ａ）第一層の境界領域（２０Ａ）が、第一層（２０）の配置後でかつ第二層（２２）の配置前に、加熱された圧刻部（８６）によってリング形状固定表面（２８）に既に熱的に結合されている。
【発明の詳細な説明】
【技術分野】
【０００１】
本発明は、通気式保護キャップ、特に保護キャップのための通気インサート、及びかかる保護キャップを持つ液体ディスペンサーに関する。さらに、本発明はまた、対応する製造方法に関する。
【背景技術】
【０００２】
通気式保護キャップは、最初の使用後にキャップ内部と周囲の間の空気の交換を可能にするために、医薬液体のための液体ディスペンサーに使用される。これは、ディスペンサーの放出開口を越えて残っている液体残留物の素早い乾燥の目的のために役立つ。この方法では、細菌の増殖が防止される。しかしながら、それらの役割のための通気式保護キャップの通気開口はまた、周囲から菌が導入される危険に導き、従って滅菌フィルターを通気開口に与えることが既に提案されている。
【０００３】
ＤＥ１０２０１３２２６２５３Ｂ４から、キャップの上にかかる滅菌フィルターを与えることが知られている。ここで、述べられた文献はまた、滅菌フィルターが上に固定して取り付けられた薄いキャリアカバーからなる二層インサートの使用を既に提案している。
【０００４】
かかる多層構造の使用は、多数の機能を果たすことができるためには有利である。しかしながら、多層可撓性シート状材料の製造は、かかる材料が大規模生産のためにだけ価値があるか又は製造コストを有意に増加するので、比較的問題がある。
【発明の概要】
【０００５】
本発明の目的は、通気式保護キャップ、又は特にかかる保護キャップのための通気インサートを提供することであり、それは、安価な方法で特定の条件への適応を可能にしたものである。
【０００６】
前記目的を達成するために、キャップ内部を包囲するキャップ壁を有する液体ディスペンサーのための通気式保護キャップが提案される。キャップ壁は、可撓性シート状構造によって覆われている通気開口を持つ。シート状構造の境界領域は、通気開口の境界に取り囲む態様で固定される。
【０００７】
本発明による保護キャップのシート状構造は、少なくとも二つの層からなり、それらが、互いに直接寄り掛かるがシート状構造の少なくとも中央領域において互いに固定して接続されていない。
【０００８】
シート状構造は、少なくとも一つの通気開口を覆い、従って保護キャップを装着することにより、キャップ内部と周囲の間の空気の交換がシート状構造を通してのみ可能であることを確実にする。シート状構造は、複数の層を有し、それらは、異なる機能を果たすことが好ましい。前記層は、製造中に別々に取り扱われ、好ましくは少なくとも９ｍｍ２の中央領域においては、互いに直接接続されない。しかしながら、製造中、前記層は、特にプラスチックを共通して封入することによって又は熱接合によって、境界領域において互いに接続されることができる。
【０００９】
ともに一つの複合材料から生じないが、むしろ特定のタイプのシート又は帯から個々に各々が製造される少なくとも二つの層の結果として、高度の可撓性が与えられる。複数の層はまた、特定の要求態様の少ない数のディスペンサーに対して一緒に入れられることができる。
【００１０】
例えば、以下の層を述べることができ、それらは、本発明によるディスペンサーキャップのシート状構造の一部であることができる。
【００１１】
滅菌フィルターとして形成される層が含まれることが一般的である。これは、最大１μｍのサイズの分離限界、特に好ましくは最大０．５μｍのサイズの分離限界を有することが好ましい。最大０．２μｍのサイズの分離限界でさらに良好な滅菌が達成されることができる。かかる滅菌フィルターは、通気開口を通る菌の侵入を防止する。
【００１２】
フィルター層は、深層フィルターとして又はメンブレンフィルターとして形成されることができる。深層フィルターは、三次元構造を有し、その中に細菌が侵入することができるが、細菌とそこを流れる空気とを分離する。メンブレンフィルターでは、規定されたサイズの細孔が与えられ、それによって菌は、層に侵入する前に既に分離されている。
【００１３】
シート状構造の層は、吸収層として形成されることができ、それは、ディスペンサーの放出開口から残留液滴を吸収するために与えられ、そこではキャップ内部から見て、前記層は、シート状構造の第一層を構成することが好ましい。前記吸収層は、保護キャップを装着することにより、ディスペンサーの主ユニットの端面に対して直接圧迫することができるか、又は前記端面から離れてわずかに間隔をあけられることができる。
【００１４】
層は、親水性表面又は疎水性表面を持つことができる。この点に関して、例えば液体の吸収を促進するために吸収層を親水性であるように構成することが好ましい。また、このように、残留液体が吸収され、特に親水性のコア層に案内されるためには、複数の層が異なる程度に親水性であるように構成されることもできる。
【００１５】
層が抗菌性であるように形成されるか又は抗菌成分を含むことが好ましい。この方法では、空気中又は吸収された液体中に含まれる細菌は、層を通過するときに殺傷され、少なくともその増殖が減少されることができる。
【００１６】
シート状構造の層が支持層として、特に最外層として形成されることもできる。かかる支持層は、シート状構造に機械的安定性を付与することができる。これは、シート状構造のさらなる層が不注意な又は故意の損傷に対して保護されることを可能にする。
【００１７】
剛い布のタイプもここでは含めてもよい。また、複数の支持層を、特に滅菌フィルター層の両側に有する設計が好ましい。
【００１８】
この場合に好ましいさらなる層は、遮蔽層であり、それは、その下に位置される少なくとも一つの層を視界から遮蔽する。これは、特にカラーデザインを持つ保護キャップにとって好ましい。滅菌フィルターは、通常、技術的に決定される色を持ち、しばしば白色であるので、これらは、着色された保護キャップの上にすぐ表われ、おそらく対応する層が意図した使用に従って除去されるべきであるという誤解を起こす。保護キャップのプラスチックの着色を有する遮蔽層は、滅菌フィルターを隠し、それゆえ前述の誤解を防止する。
【００１９】
本発明による保護キャップの第一変形例では、シート状構造の少なくとも二つの層が共通の射出成形支持構造によって通気開口の境界に保持される。ここでは、支持構造は、シート状構造の片側又は特に好ましくは一体的に両側の上に、シート状構造の境界領域の上に突出する。
【００２０】
特に両側での保持が有利であると考えられる。この場合において、可撓性シート状構造の上及び下の支持構造の二つの取り囲むウェブは、可撓性シート状構造の上に突出し、このようにしてシート状構造を固定する。製造は、多層シート状構造がまず射出成形キャビティ中に導入され、次いで工程において前述の二つの包囲するウェブを形成するプラスチックによって封入されることで実現されることが好ましい。
【００２１】
しかしながら、一つだけのかかるウェブを有する他の設計もまた、好ましい。前記ウェブから離れて面する層は、そのときプラスチック材料によって周囲を保持される。特に、深層フィルターのような多孔質層の場合には、キャップのプラスチックへの堅い接続は、周囲の小さな表面にかかわらず与えられることができる。
【００２２】
本発明による保護キャップの別の変形例では、リング形状固定表面を有する支持構造が通気開口の境界に与えられる。シート状構造の第一層は、境界領域において、前記固定表面に熱的に固定される。シート状構造の第二層は、境界領域において、少なくとも第一層の境界領域にも熱的に固定される。
【００２３】
このタイプの設計では、シート状構造の層は、封入されず、むしろ前述の固定表面に又は互いに熱的に固定される。接続は、この場合において中空型押圧刻部によって製造されることが好ましく、中空型押圧刻部は、境界領域においてそれぞれの層を圧縮して溶かし、かくして前記層が互いに又は固定表面に緊密な接続を形成する。レーザー溶接及び超音波溶接のような他の接合技術もまた、ここでは可能である。
【００２４】
保護キャップは、主構成要素を有し、主構成要素は、キャップ壁の側壁を少なくとも優勢に形成し、主構成要素の上に支持構造が一体的に与えられている。従って、かかる場合において、通気開口の上のシート状構造の層は例外として、キャップは、一体的に製造されることができる。
【００２５】
側壁の上に一体的に与えられた支持構造を有するこの設計に加えて、保護キャップが主構成要素を有し、主構成要素がキャップ壁の側壁を少なくとも優勢に形成し、主構成要素が通気インサートを受けるための開口を有するようにすることもできる。この場合において、保護キャップは、さらなる構成要素として、通気インサートを有し、通気インサートは、開口中に封止して挿入され、通気インサートは、包囲する支持構造及びそれによって保持及び包囲されるシート状構造を含む。
【００２６】
かかるモジュラー構造は、製造に関してわずかに高い支出と関連するが、それは、単一の主構成要素の使用、及び好適な通気インサートの使用によるそれらの要求に特化した適応を可能にする。
【００２７】
本発明による保護キャップの簡単な構成では、一つだけの通気開口が与えられ、それは支持構造又はそれに一体的に接続された部分によって分割されていない。特に保護キャップがシート状構造を保護するための保護構造を有し、保護構造が支持構造から分離されかつ支持構造に圧力嵌め態様で又は形態フィット態様で接続されている構成要素として形成される場合には有利でありうる。前記保護構造（それは、別個のプラスチック部分として製造されることが好ましい）は、上述の支持層よりさらに信頼性高くシート状構造を保護することができる。
【００２８】
キャップ以外に、本発明はまた、特に本発明によるキャップに使用するための既に記載した通気インサートに関する。
【００２９】
ここでも、通気インサートは、支持構造によって包囲される通気開口を有し、通気開口は、可撓性シート状構造によって覆われ、その境界領域は、支持構造に取り囲む態様で固定される。
【００３０】
シート状構造は、ここでは既に記載した少なくとも二つの層からなり、それらの層は、互い直接寄り掛かるがシート状構造の少なくとも中央領域において互いに固定して接続されていない。ここで可能な層は、保護キャップに関して上で述べた全ての層を含む。
【００３１】
記載された保護キャップに関しても、対応する通気インサートに対して、シート状構造の二つの層が共通の射出成形支持構造によって通気開口の境界に保持され、その支持構造がシート状構造の片側又は一体的に両側にシート状構造の境界領域の上に突出することがなされることもできる。あるいは、リング形状の固定表面を有する支持構造が通気開口の境界領域に与えられ、シート状構造の第一層が境界領域において固定表面に熱的に結合され、シート状構造の第二層が境界領域において第一層の境界領域に熱的に結合されることがなされることもできる。
【００３２】
通気インサートの接続は、様々な接続技術によって特に前記保護キャップの容器に固定されることができる。一つの好ましい設計は、通気インサートが先細の、好ましくは少なくとも部分的に円錐形の側面を有し、それが簡単な挿入、そしてもし適切なら容器に対する自動ロックの圧力嵌めの確立を可能にするものであることを与えるようなものである。
【００３３】
これの代替としては、通気インサートがスナップ作用接続によって固定され、従ってスナップビハインド（ｓｎａｐｐｉｎｇ−ｂｅｈｉｎｄ）能力を有する外部の幾何学的形状を持つようになされる。ねじ接続又は接着剤もしくは溶接接続も可能である。溶接接続の場合には、これは、特にレーザー溶接又は超音波溶接によって製造されることができる。
【００３４】
前記保護キャップ及び前記通気インサート以外に、本発明はまた、特に医薬液体のための液体ディスペンサーに関する。前記液体ディスペンサーは、主ユニットを有し、主ユニットは、その一部に液体貯蔵部及び運搬装置及び液体を放出するための放出開口を含む。運搬装置は、特に圧力なしで貯蔵された液体を運搬するためのポンプ装置として、又は圧力貯蔵部で圧縮されて貯蔵された液体を運搬するための弁装置として設計されることができる。液体は、運搬装置の手による作動により液体貯蔵部から放出開口に移動する。液体貯蔵部から分離された運搬装置の代わりに、液体貯蔵部はまた、スクィーズボトル（即ち力の手による付与によって圧縮されることができかつそれ自体運搬装置を構成するボトル）を与えられることもできる。
【００３５】
液体ディスペンサーは、特に液滴ディスペンサーとして、即ち個別の液滴を放出するためのもの、特に鼻、耳又は眼に適用するためのものとして設計されることができる。かかる液滴ディスペンサーは、好ましくは、放出開口を包囲する態様で、液滴形成幾何学的形状を、例えば凹状又は平坦な液滴形成表面（それは、先鋭形分離刃によって包囲されることが好ましい）の形態で有する。特に保存剤を含有しない液体に対しては、放出弁が放出開口の上流に配置され、ここで菌の導入を防止し、しかし同時に残留液体が吸引して戻るのを防止するなら、有利である。
【００３６】
特にかかる残留液滴の素早い乾燥の目的のために、本発明によれば、液体ディスペンサーは、主ユニットの上に装着されることができかつ装着された状態で放出開口を保護する上記のタイプの通気式保護キャップを有する。本発明によれば、前記保護キャップの上に、又は代替的な使用では液体ディスペンサーの別の位置に上記のタイプの通気インサートが与えられることができる。
【００３７】
本発明による保護キャップ及び／又は本発明による通気ユニットの使用は、他のディスペンサー、例えば液体の噴霧化された放出のためのスプレーディスペンサーでも好ましい。
【００３８】
ここで、保護キャップは、吸収層又は抗菌層を有するシート状構造を与えられることが好ましく、前記層は、保護キャップを装着することにより、放出開口の上に直接配置され、その結果、放出開口に残る残留液滴は、これによって吸収及び／又は除染されることができる。
【００３９】
引き渡し状態では、液体ディスペンサーは、医薬液体で充填される。これは、特に、増大した眼圧の治療（緑内障の治療）、ドライアイの治療、並びにアレルギー及び炎症の治療のための医薬液体である。この場合において、特に分子基アルファ−２−アゴニスト、例えばブリモニジン、プロスタグランジンアナログ（タフルプロスト、ラタノプロスト、ビマトプロスト、トラボプロスト）、ベーターブロッカー、例えばチモロール、及び無水炭酸インヒビター、例えばドルゾラミド又はヒアルロン酸化合物、フィルムフォーマー、例えばメチルセルロース化合物、及びシクロスポリン又は抗ヒスタミン、例えばオロパタジン及びレボカバスチン、ステロイド、例えばロテプレドノール及びデキサメタゾン、及びＮＳＡＩＤ、例えばケトロラックが役割を果たす。
【００４０】
本発明によるディスペンサーはさらに、以下の種類の一つ又は複数の分子を有する液体のために有利に使用されることができる：トリクロロ酢酸、トリオキシサレン、ウレア、酸化亜鉛、タクロリムス、クロベタゾールプロピオネート、モメタゾンフロエート、ベーターメタゾンジプロピオネート、フルオシノニド、デスオキシメタゾン、トリアミシノロンアセトニド、フルチカゾンプロピネート、ハイドロコルチゾン、クロトリマゾール、ケトコナゾール、ミコナゾール、ウンデシレン酸、テルビナフィン、シクロピロックス、トルナフテート、アシクロビル、イミキモド、ドコサノール、フィナステリド、ミノキシジル、デキサメタゾン、トラマゾリン、ナファゾリン、ノストリラ、オキシメタゾリン、フェニルエフリン、フェニルプロパノールアミン、プシュードエフェドリン、テトリゾリン、トラマゾリンハイドロクロライド、ツアミノヘプタン及びキシロメタゾリン。
【００４１】
本発明はさらに、上記タイプの保護キャップ又は上記タイプの通気インサートを製造するための方法に関する。これは、主に保護キャップに基づいて以下説明され、そこでは方法工程はまた、別個の通気インサートを製造するために対応して使用されることができ、通気インサートは、次いで特に保護キャップの容器中に後で挿入される。
【００４２】
本発明の第一変形例によれば、第一シート状材料の第一層及び第二シート状材料の第二層は、シート状帯の形態で連続的に供給される。もしより多くの層を使用することを意図するなら、さらなるシート状帯が応じて与えられるべきである。
【００４３】
シート状帯の重なる領域において、少なくとも二つの層が上側圧刻部及び下側圧刻部によって一緒に圧縮され、圧刻部を包囲する態様で切断輪郭部を使用して切断され、その切断によって保護キャップのため又は通気インサートのためのシート状構造の二つの層は、シート状帯から分離される。この時点で、互いに固定して接続されていない二つの層は、二つの圧刻部間で保持される。
【００４４】
この多層シート状構造は、後で圧刻部によって固定された状態で射出成形キャビティ中に挿入される。プラスチック材料、例えばＨＤＰＥ又はＰＰは、次いで射出成形キャビティ中に射出され、そのプラスチック材料は、共通の支持構造を形成し、その支持構造は、シート状構造の片側又は一体的に両側に、シート状構造の境界領域の上に突出し、シート状構造の層を固定する。
【００４５】
両側の上の圧刻部は、支持構造が硬化した後にシート状構造から離れて間隔をあけられ、この場合において、外側の周囲からシート状構造まで、及びシート状構造から保護キャップの内部領域までの通路を開放する。
【００４６】
記載された方法における特徴は、同じ手段、特に二つの前記圧刻部が少なくとも二つの層を一緒に圧縮し、キャビティ中にそれらを配置するために使用される（ただし、それらの層は、この時点で互いに接続されていない）。従って射出成形時に、それらは、希望の位置に保持され、そこでプラスチックによって包囲される。ここで、圧刻部自体は、シート状構造の両側にプラスチックが侵入しないように通気開口を保持する。
【００４７】
代替法では、まず通気式保護キャップ又は通気インサートの主本体が与えられ、主本体は、リング形状固定表面を有する支持構造によって包囲される通気開口を有する。
【００４８】
シート状構造の第一層及びシート状構造の第二層は、第一層の境界領域がリング形状固定表面と接触し、第二層の境界領域が第一層の境界領域と接触するように通気開口において連続的に又は一緒に配置される。
【００４９】
層を互いに又はリング形状固定表面に固定するために、第一層及び第二層の境界領域の熱接合は、第二層の挿入後に加熱された圧刻部によって実施される。
【００５０】
加熱された圧刻部の使用は、第二層の導入後に一回実現されることができる。この場合において、それはまた、第一層がリング形状固定領域に間接的に固定される場合でもある。あるいは、加熱された圧刻部が複数回、特に層あたり一回使用されることも可能である。従って、第一層の境界領域は、第一層の配置後でかつ第二層の配置前に、加熱された圧刻部によって、リング形状固定表面に既に熱的に結合されている。
【図面の簡単な説明】
【００５１】
本発明のさらなる利点及び態様は、図面に基づいて以下に説明される本発明の好ましい例示的実施形態の以下の記載及び請求項からわかるだろう。
【００５２】
【図１−２】図１−２は、可撓性シート状構造によってカバーされる通気開口を有する通気式保護キャップを有する本発明によるディスペンサーを示す。
【００５３】
【図３Ａ−３Ｃ】図３Ａ−３Ｃは、通気式保護キャップの三つの変形例を断面図で示す。
【００５４】
【図４Ａ−４Ｄ】図４Ａ−４Ｄは、図３Ａ及び３Ｃの設計に加えて、可撓性シート状構造への保護キャップの主本体の直接接続及び別個の通気インサートの使用の可能性を示す。
【００５５】
【図５Ａ−５Ｄ】図５Ａ−５Ｄは、可撓性シート状構造の層の異なる構成を示す。
【００５６】
【図６】図６は、本発明による保護キャップを製造するための第一方法を示す。
【図７Ａ−７Ｄ】図７Ａ−７Ｄは、本発明による保護キャップを製造するための第一方法を示す。
【図７Ｅ−７Ｈ】図７Ａ−７Ｈは、本発明による保護キャップを製造するための第一方法を示す。
【００５７】
【図８Ａ−８Ｄ】図８Ａ−８Ｄは、本発明による保護キャップを製造するための代替方法の変形例を示す。
【図９Ａ−９Ｄ】図９Ａ−９Ｄは、本発明による保護キャップを製造するための代替方法の変形例を示す。
【図９Ｅ−９Ｆ】図９Ｅ−９Ｆは、本発明による保護キャップを製造するための代替方法の変形例を示す。
【発明を実施するための形態】
【００５８】
図１及び２は、本発明による液体ディスペンサー１００を示す。
【００５９】
前記液体ディスペンサーは、主ユニット１０２を含み、そこには液体貯蔵部１０４、運搬装置１０６、及び放出開口１０８が与えられる。運搬装置１０６は、液体を液体貯蔵部１０４から放出開口１０８に案内するために与えられる。この場合において、様々な技術的な設計が考えられ、特に圧力貯蔵部１０４、及び切換弁として設計される運搬装置１０６を有するディスペンサーの設計のものが考えられる。ユーザーが作動ボタン１０７を押すとすぐに、切換弁が開放され、液体貯蔵部１０４中で圧縮された液体が放出開口１０８に流れる。それに対する代替例として、運搬装置１０６は、ポンプ装置１０６として設計されることができる。とにかく、液体は、液体貯蔵部１０４中で圧力を受けずに貯蔵され、作動ボタン１０７によってポンプ装置１０６を作動することによって放出開口１０８にポンピングされる。例えば液体貯蔵部でありかつ同時に運搬装置でもあるスクィーズボトルを有する他の設計も可能である。
【００６０】
図１及び２の液体ディスペンサーは、液滴ディスペンサーであり、従って放出開口１０８を包囲する態様で液滴形成幾何学形状１１０、例えば平坦又は凹状リング形状表面を有し、それに液滴が、ディスペンサーをひっくり返した位置で、重力の作用下で液滴形成幾何学形状１１０から離れるまで付着することができる。
【００６１】
液体ディスペンサー１００は、保護キャップ１０を有し、それは、通気式保護キャップとして形成される。これは、キャップ内部１４が通気開口１６を介して周囲大気に接続され、通気開口１６は、この例示的な実施形態の構成の場合には、保護キャップ１０のキャップ壁１２の端面の上に与えられることを意味する。通気開口１６は、シート状構造１８を与えられ、これは、以下により詳細に説明されるように、異なる特性を有する複数の可撓性層から作られる可撓性シート状構造である。図２に示された例示的なシート状構造１８は、二つの層を有し、その内側の層２２は、吸収パッドとして形成され、保護キャップ１０が主ユニット１０２の上に装着された後に液滴形成幾何学形状１１０の領域に残る残留液滴を吸収することができ、もし適切なら、抗菌構成によってその中に含まれる菌を殺傷することができる。放出開口１０８から離れて面するシート状構造１８の側は、外側の層２０によって形成され、それは、保護キャップ１０が装着されると、キャップ内部１４中への菌の導入が避けられるように例えば滅菌フィルターとして形成されることができる。
【００６２】
図３Ａ〜３Ｃは、保護キャップ１０の三つの変形例を示し、それらのうち図３Ａ及び３Ｃの変形例はまた、それらのそれぞれの製造に関して以下により詳細に説明される。
【００６３】
図３Ａのような設計では、保護キャップ１０は、主本体８を有し、主本体８は、保護キャップ１０の側面、及び通気開口１６を包囲する態様で与えられ、かつシート状構造１８の両側の上に延び、それによって二つの層２０，２２を固定する支持構造２４の両方を形成する。層２０，２２は、互いに固定して接続されない。これを示すために、層２０，２２の間の小さな間隙が図３Ａに示されている。しかしながら、実際には、層２０，２２は、少なくともそれらの境界領域２０Ａ，２２Ａにおいて互いに寄り掛かり、特に完全に寄り掛かっている。しかし、前記層は、少なくとも中央領域において互いに直接接続されず、以下により詳細に説明されるように、通常、保護キャップの主本体への取り付け前に互いに接続されない。層２０，２２は、支持構造２４によって、例えば図３Ａに示されるように、固定された状態でのみ互いに固定される。
【００６４】
図３Ｂのような設計では、支持構造２４は、異なるように形成される。なぜなら、それは、本ケースではシート状構造１８の下で一つの側だけでその境界領域１８Ａの上に延びるからである。しかしながら、支持構造２４は、支持構造１８の上では層２０，２２を越えて突出しない。代わりに、層２０，２２、特に外側層２０は、保護キャップの主本体８に固定され、前記主本体８は、以下により詳細に説明されるような態様で層２０の上に射出成形され、層２０は、前もってキャビティに配置され、そこでは層２０の境界領域２０Ａは、主本体８に材料的に結合される態様で接続される。
【００６５】
図３Ｃのような設計では、再びシート状構造１８の両側に支持構造が与えられない場合である。代わりに、シート状構造１８の上にだけ固定表面２８を有する支持構造２６が与えられる。図３Ｃでは比較的薄い境界領域によって示されるように、シート状構造１８の層２０，２２は、この場合において型押圧刻部によって一緒に又は連続的に前述の固定表面２８に熱的に結合される。
【００６６】
図３Ｃの設計での特別な特徴は、保護構造２９であり、保護構造２９は、別個の構成要素として形成され、保護構造２９は、その外側で通気開口１６の上に押され、そこで圧力嵌め態様で保持される。前記保護構造は、シート状構造を保護し、特に滅菌フィルターとして作用する層への損傷を防止する。保護構造２９は、例示としてのみ図３Ｃの設計において示され、同様にここで記載された他のキャップ設計に与えられることができる。
【００６７】
図３Ａ及び３Ｃの設計に関して、図４Ａ〜４Ｄは、各場合において二つの異なる構造を示す。図４Ａ及び４Ｃの設計は、ここでは図３Ａ及び３Ｃの設計に対応する。
【００６８】
対照的に、通気インサート３４が保護キャップ１０の主構成要素３２に端側で取り付けられ、前記主構成要素が特に側壁も形成し、その一部に通気開口１６及びシート状構造１８を有する設計が、図４Ｂの変形例によって示される。通気インサート３４は、圧力嵌めによって保護キャップ１０の主構成要素３２に固定される。接着剤接続、溶接接続及びねじ接続のような代替固定もここでは可能である。
【００６９】
図４Ｂの変形例に対応して、図４Ｄの変形例では別個の通気インサート３４が与えられ、それは、支持構造２６に固定表面２８を与え、それは、図４Ｂの通気インサート３４と同様の態様で圧力嵌めによって保護キャップ１０の主構成要素３２中に挿入される。
【００７０】
図５Ａ〜５Ｄは、単一層の異なる構成を示し、それらは、シート状構造１８を一緒に形成する。本発明によれば、シート状構造の層が互いに接続されないか又は少なくとも中央領域では接続されないので、特定の使用ケースのために特定の層の組み合わせを簡単に与えることが有利に可能である。それゆえ、シート状構造が引き出される複合帯の技術的にやっかいな製造（それは、多い量に対してのみコスト効果的である）は、必要でない。ここで例として示される構成は、各々滅菌フィルターを持つ。前記滅菌フィルターの分離限界は、好ましくは最大１μｍ、より好ましくは最大０．５μｍのサイズである。最大０．５μｍのサイズのさらに微細な分離限界が有利でありうる。
【００７１】
図５Ａは滅菌フィルター２１Ａ及び吸収層２１Ｃがシート状構造１８を一緒に形成する設計を示す。ここで、滅菌フィルター２１Ａは、かなり薄く示され、この場合において、それは、メンブレンフィルター（即ち多数の細孔を含み、それらの各々が細菌のような特定の成分を通過させないように予め規定された分離限界より小さいフィルター）である。
【００７２】
図５Ｂのような変形例では、同様に滅菌フィルター２１Ｂが与えられる。しかし、これは、深層フィルターとして形成される。これは、フィルターのそれぞれの一つの細孔は意図した分離限界より小さいが、フィルターはその厚さのために分離限界より大きい成分を信頼性高く濾過することができることを意味する。
【００７３】
図５Ａのメンブレンフィルター２１Ａについては、フィルターによって分離される成分は、フィルターの上側に残るが、図５Ｂの深層フィルター２１Ｂについては、前記成分は、フィルター自体の中に入り、そこで通過する空気から分離される。
【００７４】
図５Ｃの設計では、滅菌フィルター２１Ａ及び吸収パッド２１Ｃに加えて、遮蔽層２１Ｅが与えられる。これは、滅菌フィルター２１Ａを視界から遮る機能を主に果たす。滅菌フィルター２１Ａはさらに、一般に保護キャップ１０とは異なる色を持つので、ユーザーは、滅菌フィルター２１Ａがディスペンサーの最初の操作時に除去されるべきであると誤って考えることがわかった。保護キャップ１０と同じ色でさらに設計された前記遮蔽層２１Ｅによって、明らかに異なる色の滅菌フィルター２１Ａの存在が視界から遮られ、従ってユーザーは、シート状構造１８を損傷する考えに及ばない。
【００７５】
図５Ｄの設計では、滅菌フィルター２１Ａ、及び残留液滴を吸収するための吸収層２１Ｃが再び与えられる。しかし、ここでは、支持層２１Ｄがさらに与えられ、支持層２１Ｄは、比較的堅く、従って不意の又は意図的な損傷に対して滅菌フィルター２１Ａを機械的に保護する。
【００７６】
図６〜７Ｈは、記載されたタイプの保護キャップを製造するための第一方法を示す。これは、本ケースでは図３Ａ及び４Ａにも示された保護キャップである。
【００７７】
図６は、基本構造を概略的に示す。二つの帯２２０，２２２は、押し抜きと射出成形を組み合わせた器具７０に供給される。図７Ａ〜７Ｈは、前記帯２２０，２２２の処理、及び前記押し抜きと射出成形を組み合わせた器具７０の領域における保護キャップ１０の製造を示す。
【００７８】
図７Ａは、初期状態を示す。前記状態では、主に上部シェル７２及び下部シェル７４によって画定されるキャビティ９０は、まだ開いている。上記帯２２０，２２２は、上部シェル７２の二つの溝中に移動される。下部シェル７４は、下部シェル７４の開口に鉛直方向に変位可能な圧刻部８２を中央に与えられる。対応して、上部シェル７２は、同様に鉛直方向に変位可能な圧刻部８０、及びそれから独立して移動可能でありかつ圧刻部８０を包囲する切断輪郭部８４を与えられる。圧刻部８０及び切断輪郭部８４は、上部シェル７２の開口に配置される。
【００７９】
図７Ａの初期状態では、圧刻部８０及び切断輪郭部８４は、溝の上に位置され、その溝を通って帯２２０，２２２が供給される。
【００８０】
これを出発点としてとると、まず圧刻部８２は、それが下側の帯２２２の下側に対して圧迫するまで下側から上方に鉛直方向に変位される。上側の圧刻部８０及び切断輪郭部８４は、同時に上から帯２２２の上に押し、従って帯２２０，２２２は、一緒に圧縮される。図７Ｂの状態が確立される。
【００８１】
図７Ｃによって示される態様では、圧刻部８０，８２及び切断輪郭部８４は、次いで一緒に鉛直方向に下方に移動し、それによって二つの層２０，２２からなるシート状構造１８は、周囲の帯２２０，２２２から分離され、切断輪郭部８４は、上部シェル７２の開口の境界においてそれを切り離す。圧刻部８０，８２及び切断輪郭部８４は、一緒に図７Ｄに示された位置に移動する。
【００８２】
ここから継続して、圧刻部８０，８２は、さらに少し移動し、同時に又はそれとは別個に、下部シェル７４及び上部シェル７２は、キャビティ９０が閉じるように互いに移動される。図７Ｅの位置へと圧刻部８０，８２が下がると、切断輪郭部８４は、もはやそれに沿って移動されず、従って切断輪郭部８４と圧刻部８０の間の相対的な変位が初めて起こる。切断輪郭部８４は、さらに上に残り、従ってその端側が下方に面してキャビティ９０の画定壁の一部を形成する。
【００８３】
圧刻部８０，８２が切断輪郭部に対して相対的に変位される前述の工程は、有利であると考えられるが、それは、必須ではない。図３Ｂの上記設計は、前述の相対的変位が与えられないが、ここで記載された方法と概ね同じ方法によって製造されることができる。かかる方法に対しては、切断輪郭部８４及び圧刻部８０が共通の構成要素として形成される器具が与えられることができる。
【００８４】
図７Ｅの状態から継続して、液体プラスチック、例えばＰＰ又はＨＤＰＥが、図７Ｆでわかるように、供給開口（図示せず）を通してキャビティ９０中に案内される。プラスチック９２は、キャビティ９０中で硬化し、結果として、続いて図７Ｇ及び７Ｈによって示された態様で、下部シェル７４及び上部シェル７２が離れた後、完成した保護キャップ１０が除去されることができる。
【００８５】
代替方法は、図８Ａ〜８Ｄに示されている。前記方法は、射出成形によって完全に既に製造された保護キャップ１０の主本体８から進み、そこでは通気開口１６が端側に与えられている。後者は、主に固定装置２８によって形成される支持構造２６を通って破壊する。
【００８６】
シート状構造１８の二つの層２０，２２は、前記主本体８中に個々に挿入される。前記層は、この時点で互いに固定して接続されていないが、もちろん、図８Ａから逸脱して、それらが互いに既に圧迫している形態で導入されることができる。二つの層２０，２２は、通気開口１６の横断面より大きい表面積を有し、結果としてそれらは、図８Ｂが示すように固定表面２８に圧迫するようになる。
【００８７】
続いて、加熱された型押圧刻部８６は、図８Ｃによって示される態様で上から主本体８中に導入される。型押圧刻部のリング形状端面は、固定表面２８に対して層２０，２２の境界領域２０Ａ，２２Ａを圧縮するため、そして工程中にそれらを一緒に固定表面２８に熱的に結合するために使用される。結果的に、図８Ｄで見られる二つの層構造になる。
【００８８】
これの代替法は、図９Ａ〜９Ｆに表われている。ここで、二つの層２０，２２は、連続して挿入される。図９Ａ〜９Ｃに表われるように、まず第一層２０は、固定表面２８の上に配置され、型押圧刻部８６によってそこで熱的に固定される。第二層２２は、後でのみ導入され、これは、次いで図９Ｅによって示される態様で、同様に加熱された型押圧刻部８６によって、特に前もって既に固定された層２０の上に固定される。
【００８９】
図９Ｆが示すように、これは、図８Ａ〜８Ｄの方法と同様の構成をもたらす。図９Ａ〜９Ｆの方法がより多くの製造工程を含んだとしても、これにより層２０，２２の材料によって境界領域により良好な緊密さが得られることが可能であり、従ってこのより複雑な方法も存在理由を持つ。
【図１−２】
2020183282.tif 000003
【図３Ａ−３Ｃ】
2020183282.tif 000004
【図４Ａ−４Ｄ】
2020183282.tif 000005
【図５Ａ−５Ｄ】
2020183282.tif 000006
【図６】
2020183282.tif 000007
【図７Ａ−７Ｄ】
2020183282.tif 000008
【図７Ｅ−７Ｈ】
2020183282.tif 000009
【図８Ａ−８Ｄ】
2020183282.tif 000010
【図９Ａ−９Ｄ】
2020183282.tif 000011
【図９Ｅ−９Ｆ】
2020183282.tif 000012